(57)【特許請求の範囲】
【請求項１】
媒体を挿入方向及び排出方向に沿って挿脱する媒体口と、
前記媒体を受け渡す媒体受渡部を有し前記媒体口の前記挿入方向側に設けられ前記媒体から媒体情報を読み取る媒体情報読取部と、
前記媒体が前記媒体口から挿脱される際に可動することにより前記媒体口を開閉する媒体口開閉部と
を有し、
前記媒体受渡部は、前記媒体口と対向し該媒体口に離接する方向へ可動し、開放された前記媒体口に隙間なく嵌り込む
媒体情報読取装置。
【請求項２】
前記媒体口開閉部は、前記媒体口に嵌り込むことにより前記媒体口を閉鎖する
請求項１に記載の媒体情報読取装置。
【請求項３】
前記媒体口開閉部は、前記媒体口が形成された筐体における前記排出方向側の面と、前記媒体口開閉部における前記排出方向側の面とが面一になるよう前記媒体口に嵌り込む
請求項２に記載の媒体情報読取装置。
【請求項４】
前記媒体口開閉部は、前記媒体口に隙間なく嵌り込む
請求項２に記載の媒体情報読取装置。
【請求項５】
前記媒体口開閉部は、利用者との間で前記媒体を受け渡すときのみ前記媒体口を開放する
請求項２に記載の媒体情報読取装置。
【請求項６】
前記媒体受渡部は、利用者との間で前記媒体を受け渡すときのみ、開放された前記媒体口に隙間なく嵌り込む
請求項５に記載の媒体情報読取装置。
【請求項７】
前記媒体口開閉部は、前記媒体口よりも後側へ移動することにより前記媒体口を開放する
請求項２に記載の媒体情報読取装置。
【請求項８】
媒体を挿入方向及び排出方向に沿って挿脱する媒体口と、
前記媒体口の前記挿入方向側に設けられ前記媒体から媒体情報を読み取る媒体情報読取部と、
前記媒体が前記媒体口から挿脱される際に可動することにより前記媒体口を開閉する媒体口開閉部と、
前記媒体口における前記排出方向側の下側に設けられ前記媒体をガイドするステージ上面が形成されたステージと
を有し、
前記媒体口開閉部は、開閉部下面が前記ステージ上面に当接することにより前記媒体口を閉鎖し、
前記ステージ上面と前記開閉部下面との接触面には、前記挿入方向及び前記排出方向と上下方向とに直交する一方向の端部から他方向の端部までに亘って直線状でなくなる噛合部が形成されている
媒体情報読取装置。
【請求項９】
前記噛合部は、前記ステージ上面の一部分において前記開閉部下面から離隔する方向へ凹む凹部と、前記開閉部下面の一部分において前記凹部へ嵌り込む凸部とを有する
請求項８に記載の媒体情報読取装置。
【請求項１０】
前記媒体は、磁気ストライプが形成されたカードであり、
前記噛合部は、前記カードにおける前記磁気ストライプと対向する箇所に形成されている
請求項８に記載の媒体情報読取装置。
【請求項１１】
媒体を挿入方向及び排出方向に沿って挿脱する媒体口と、
前記媒体口の前記挿入方向側に設けられ前記媒体から媒体情報を読み取る媒体情報読取部と、
前記媒体が前記媒体口から挿脱される際に可動することにより前記媒体口を開閉する媒体口開閉部と
を有し、
前記媒体口開閉部は、前記排出方向側へ回動することにより前記媒体口を開放する両開きのシャッタである
媒体情報読取装置。
【請求項１２】
前記媒体口開閉部は、前記媒体口と対向する箇所に、該媒体口に嵌る突起が形成されている
請求項１１に記載の媒体情報読取装置。
【請求項１３】
前記媒体口開閉部は、前記挿入方向及び前記排出方向と上下方向とに直交する一方向側と他方向側とに設けられた支点を軸として開閉する
請求項１１に記載の媒体情報読取装置。
【請求項１４】
媒体に関する取引を受け付ける顧客応対部と、
前記媒体を挿入方向及び排出方向に沿って挿脱する媒体口と、
前記媒体を受け渡す媒体受渡部を有し前記媒体口の前記挿入方向側に設けられ前記媒体から媒体情報を読み取る媒体情報読取部と、
前記媒体が前記媒体口から挿脱される際に可動することにより前記媒体口を開閉する媒体口開閉部と
を有し、
前記媒体受渡部は、前記媒体口と対向し該媒体口に離接する方向へ可動し、開放された前記媒体口に隙間なく嵌り込む
媒体取引装置。
【発明の詳細な説明】
【技術分野】
【０００１】
本発明は媒体情報読取装置及び媒体取引装置に関し、例えば紙幣のような紙葉状の媒体を投入して所望の取引を行う現金自動取引装置（ＡＴＭ:Automated Teller Machine）等に適用して好適なものである。
【背景技術】
【０００２】
従来、金融機関や店舗等で使用される現金自動取引装置等においては、顧客との取引内容に応じて、例えば顧客に紙幣や硬貨等の現金を入金させ、また顧客へ現金を出金する。現金自動取引装置としては、例えば顧客との間で紙幣の授受を行う入出金部と、投入された紙幣の金種及び真偽を鑑別すると共に紙幣の記番号を識別する鑑別部と、投入された紙幣を一時的に保留する一時保留部と、紙幣を搬送する搬送部と、金種毎に紙幣を格納する紙幣収納庫とを有するものがある。
【０００３】
このような現金自動取引装置においては、不正に取り付けられたスキミングデバイスにより、カードが挿脱される際に該カードの磁気ストライプからカード情報を不正に取得する行為であるスキミングを防止するものが提案されている（例えば、特許文献１参照）。
【先行技術文献】
【特許文献】
【０００４】
【特許文献１】特開２０１２−１０３８２２号公報
【発明の概要】
【発明が解決しようとする課題】
【０００５】
現金自動取引装置においては、スキミングをより一層防止し、セキュリティをより向上させることが望まれている。
【０００６】
本発明は以上の点を考慮してなされたもので、セキュリティを向上させ得る媒体情報読取装置及び媒体取引装置を提案しようとするものである。
【課題を解決するための手段】
【０００７】
かかる課題を解決するため本発明の媒体情報読取装置においては、媒体を挿入方向及び排出方向に沿って挿脱する媒体口と、媒体を受け渡す媒体受渡部を有し媒体口の挿入方向側に設けられ媒体から媒体情報を読み取る媒体情報読取部と、媒体が媒体口から挿脱される際に可動することにより媒体口を開閉する媒体口開閉部とを設け、媒体受渡部は、媒体口と対向し該媒体口に離接する方向へ可動し、開放された媒体口に隙間なく嵌り込むようにした。
【０００８】
また本発明の媒体取引装置においては、媒体に関する取引を受け付ける顧客応対部と、媒体を挿入方向及び排出方向に沿って挿脱する媒体口と、媒体を受け渡す媒体受渡部を有し媒体口の挿入方向側に設けられ媒体から媒体情報を読み取る媒体情報読取部と、媒体が媒体口から挿脱される際に可動することにより媒体口を開閉する媒体口開閉部とを設け、媒体受渡部は、媒体口と対向し該媒体口に離接する方向へ可動し、開放された媒体口に隙間なく嵌り込むようにした。
【０００９】
本発明では、媒体口周辺にスキミングデバイスを装着されることを防止できる。
【発明の効果】
【００１０】
本発明によれば、媒体口周辺にスキミングデバイスを装着されることを防止できる。かくして本発明は、セキュリティを向上させ得る媒体情報読取装置及び媒体取引装置を実現できる。
【図面の簡単な説明】
【００１１】
【図１】現金自動取引装置の構成を示す斜視図である。
【図２】現金自動取引装置の構成を示す右側面図である。
【図３】第１の実施の形態による入出口閉鎖状態及び受渡部退避状態のカード情報読取部の構成を示す右側面図である。
【図４】第１の実施の形態による入出口開放状態及び受渡部退避状態のカード情報読取部の構成を示す右側面図である。
【図５】第１の実施の形態による入出口開放状態及びカード受渡状態のカード情報読取部の構成（１）を示す右側面図である。
【図６】第１の実施の形態による入出口開放状態及びカード受渡状態のカード情報読取部の構成（２）を示す正面図である。
【図７】第２の実施の形態による入出口閉鎖状態のカード情報読取部の構成（１）を示す右側面図である。
【図８】第２の実施の形態による入出口開放状態のカード情報読取部の構成を示す右側面図である。
【図９】第２の実施の形態による入出口閉鎖状態のカード情報読取部の構成（２）を示す正面図である。
【図１０】第３の実施の形態による入出口開放状態のカード情報読取部の構成を示す正面図である。
【図１１】第３の実施の形態による入出口閉鎖状態のカード情報読取部の構成を示す右側面図である。
【図１２】第４の実施の形態による入出口開放状態のカード情報読取部の構成を示す正面図である。
【図１３】第４の実施の形態による入出口閉鎖状態のカード情報読取部の構成を示す平面図である。
【図１４】第５の実施の形態による入出口閉鎖状態のカード情報読取部の構成（１）を示す正面図である。
【図１５】第５の実施の形態による入出口閉鎖状態のカード情報読取部の構成（２）を示す平面図である。
【発明を実施するための形態】
【００１２】
以下、発明を実施するための形態（以下実施の形態とする）について、図面を用いて説明する。
【００１３】
［１．第１の実施の形態］
［１−１．現金自動取引装置の構成］
図１及び図２に示すように、現金自動取引装置１は、箱状の筐体２を中心に構成されており、例えば金融機関等に設置され、顧客との間で入金取引や出金取引等の現金に関する取引を行う。筐体２は、その前側に顧客が対峙した状態で紙幣の投入やタッチパネルによる操作等をしやすい箇所に、所定の厚みを有するフロントパネル３０が設けられている。
【００１４】
フロントパネル３０には顧客応対部３が設けられている。顧客応対部３は、カード入出口４、入出金口５、操作表示部６、テンキー７及びレシート発行口８が設けられており、顧客との間で現金や通帳等を直接やり取りすると共に、取引に関する情報の通知や操作指示の受付を行う。カード入出口４は、キャッシュカード等の各種カードが挿入又は排出される部分である。カード入出口４の奥側には、各種カードに磁気記録された口座番号等の読み取りを行うカードリーダ３４が設けられている。入出金口５は、顧客が入金する紙幣が投入されると共に、顧客へ出金する紙幣が排出される部分である。操作表示部６は、取引に際して操作画面を表示するＬＣＤ（Liquid Crystal Display）と、取引の種類の選択、暗証番号や取引金額等を入力するタッチパネルとが一体化されている。テンキー７は、「０」〜「９」の数字等の入力を受け付ける物理的なキーであり、暗証番号や取引金額等の入力操作時に用いられる。レシート発行口８は、取引処理の終了時に取引内容等を印字したレシートを発行する部分である。
【００１５】
カードＣＤは、図６に示すように略長方形の薄板状に形成されており、金融機関の顧客である利用者に対して発行され、入金、出金、振込及び残高照会等の金融取引が行われる際に用いられる。またカードＣＤには、利用者の氏名、口座番号、暗証番号、顧客ＩＤ等の情報を格納する磁気ストライプＭＳが設けられている。磁気ストライプＭＳは、カードＣＤの裏面における短手方向の一端側寄りに、該カードＣＤの長手方向の一端から他端までに亘って所定幅で、長手方向に沿って形成されている。
【００１６】
筐体２内には、現金自動取引装置１全体を統轄制御する主制御部９や、紙幣に関する種々の処理を行う紙幣入出金機１０等が設けられている。
【００１７】
以下では、現金自動取引装置１のうち利用者が対峙する側を前側とし、その反対を後側とし、該前側に対峙した利用者から見て左及び右をそれぞれ左側及び右側とし、さらに上側及び下側を定義して説明する。
【００１８】
［１−２．紙幣入出金機の内部構成］
紙幣入出金機１０は、図２に示すように、箱状の入出金機筐体１１を中心に構成されており、紙幣制御部１２が各部（入出金部１６、搬送部２４、鑑別部１８、一時保留部２０、紙幣収納庫２６、リジェクト庫２８及び取忘れ庫２２）を統轄制御する。
【００１９】
紙幣制御部１２は、図示しないＣＰＵを中心に構成されており、ＲＯＭ、ＲＡＭ、ハードディスクドライブやフラッシュメモリ等でなる記憶部１４（図１）から所定のプログラムを読み出して実行することにより、各部を制御して入金取引や出金取引等の種々の処理を行う。記憶部１４は、鑑別部１８が紙幣を鑑別した鑑別結果及び紙幣の記番号の識別結果等を取引情報と合わせて記憶する。
【００２０】
紙幣入出金機１０の内部には、上側に入出金部１６、紙幣の金種や真偽を判定する鑑別部１８及び入金紙幣等を一時的に保留する一時保留部２０等が設けられている。
【００２１】
入出金部１６は、顧客から投入された紙幣を１枚ずつ分離し搬送部２４へ繰り出す。また入出金部１６は、搬送部２４へ繰り出す紙幣と、入金リジェクト紙幣として入出金部１６へ戻された紙幣とを分別して保持する。
【００２２】
搬送部２４は、図示しないローラやベルト等により、図中太線で示す搬送路に沿って長方形の紙幣を短手方向に搬送する。搬送部２４は、鑑別部１８を前後方向に挿通させるように紙幣を搬送し、該鑑別部１８の後側と一時保留部２０及び入出金部１６とをそれぞれ接続している。また搬送部２４は、鑑別部１８の前側と入出金部１６、紙幣収納庫２６、リジェクト庫２８及び取忘れ庫２２とを接続している。搬送部２４の分岐点には、セレクタ（図示せず）が設けられており、紙幣制御部１２の制御に基づき回動することにより、紙幣の搬送先を切り替える。
【００２３】
鑑別部１８は、その内部で紙幣を搬送しながら、光学素子や磁気検出素子等を用いて該紙幣の金種及び真偽、並びに損傷の程度等（正損）を鑑別し、その鑑別結果を紙幣制御部１２へ通知する。また鑑別部１８は、撮像した紙幣の画像データから、紙幣毎に付与されその紙幣の一面に予め印刷された英数字等で構成された紙幣識別情報である記番号を読み取り識別する。このとき鑑別部１８は、識別した字を識別結果として紙幣制御部１２へ通知する。これに応じて紙幣制御部１２は、取得した鑑別結果及び識別結果に基づいて紙幣の搬送先を決定する。
【００２４】
一時保留部２０は、入金時に顧客が入出金部１６へ投入した紙幣を一時的に保留し、鑑別部１８で入金可能と鑑別された入金可能紙幣を入金が確定するまで一時的に保留する。一方、入金不可と鑑別された入金リジェクト紙幣は入出金部１６へ排出される。また一時保留部２０は、出金時において鑑別部１８で出金不可能と鑑別された出金不可紙幣を、出金可能な紙幣が出金されるまで一時的に保留し、その後該出金不可紙幣をリジェクト庫２８へ排出する。
【００２５】
また紙幣入出金機１０の内部には、下側に金種別の紙幣収納庫２６と、鑑別部１８において破損した紙幣（いわゆる損券）と鑑別された紙幣、偽造券と判別された紙幣及び５千券や２千券等の還流されない金種の紙幣を格納するリジェクト庫２８と、取引時に顧客が入出金部１６から取り忘れた紙幣を回収して格納する取忘れ庫２２とが設けられている。紙幣収納庫２６は、収納繰出機構により、搬送部２４から搬送されてきた紙幣を取り込んで収納すると共に、収納されている紙幣を排出して搬送部２４へ供給する。
【００２６】
かかる構成において現金自動取引装置１は、鑑別部１８による紙幣の鑑別結果及び識別結果等をもとに主制御部９及び紙幣制御部１２が各部を制御して、紙幣の入金処理及び出金処理等を行う。
【００２７】
［１−３．カード情報読取部の構成］
図３乃至図６に示すように、現金自動取引装置１の顧客応対部３には、顧客に挿入されたカードＣＤを搬送し該カードＣＤの磁気ストライプＭＳに格納された情報の読取、上書及び消去等を行うカード情報読取部３２が設けられている。
【００２８】
カード情報読取部３２は、フロントパネル３０においてカード入出口４を有している。このカード入出口４は、フロントパネル３０の前面と後面とを貫通するよう該フロントパネル３０の板厚方向に穿設されたスロット状の孔部である。またカード入出口４には、上側の内壁面において水平方向に沿う平面状の入出口上側内壁面４Ｕが、下側の内壁面において後方に向かうに連れて下方へ傾斜する平面状の入出口下側内壁面４Ｄがそれぞれ形成されている。カード入出口４は、短手方向を左右方向に沿わせた状態で前後方向である媒体挿脱方向としてのカード挿脱方向ＤＣｉｏの一方向であるカード挿入方向ＤＣｉに沿ってカードＣＤを挿入すると共に、カード挿脱方向ＤＣｉｏの他方向であるカード排出方向ＤＣｏに沿ってカードＣＤを排出する。すなわちカード入出口４は、短手方向を左右方向に沿わせた状態で、カード挿脱方向ＤＣｉｏに沿ってカードＣＤを挿入及び排出する。
【００２９】
カード入出口４の後側、すなわちカード挿入方向ＤＣｉ側には、カードリーダ３４が設けられている。このカードリーダ３４は、箱型のカードリーダ筐体３６を有している。
【００３０】
カードリーダ筐体３６内においてカード入出口４と対向する前側には、媒体受渡部としてのカード受渡部４０が設けられている。カード受渡部４０は、受渡基部４１と、該受渡基部４１の前側に設けられた受渡先端部４２とにより構成されている。受渡先端部４２は、カードＣＤの短手方向の長さよりも僅かに長い幅だけ前面が左右方向に沿って開口すると共に該カードＣＤの厚さよりも僅かに長い高さだけ前面が上下方向に沿って開口するスリット状の開口部であるカード挿脱口４３が形成されることにより、カード入出口４をカードＣＤが通過する際に該カードＣＤの移動をガイドする。またカード受渡部４０は、主制御部９に制御される受渡部駆動モータ（図示せず）により、受渡先端部４２の上面と下面とがカード入出口４のそれぞれ入出口上側内壁面４Ｕと入出口下側内壁面４Ｄとに隙間なく当接し利用者との間でカードＣＤを受け渡す状態であるカード受渡状態（図５）と、カード入出口４よりも後方であるカードリーダ筐体３６内部に退避する状態である受渡部退避状態（図３及び図４）とに、前後方向に沿って往復移動する。すなわちカード受渡部４０は、カード入出口４の後方において該カード入出口４に対し離接する方向へ移動する。
【００３１】
カードリーダ筐体３６の内部には、前側に上下一対の受渡搬送ローラ３８が、後側に上下一対の搬送ローラ３９がそれぞれ設けられている。受渡搬送ローラ３８及び搬送ローラ３９は、カードＣＤのカード挿脱方向ＤＣｉｏに直交する搬送幅方向（左右方向）にカードＣＤの短手方向の長さよりも短い間隔を開けて左右に並び２組ずつ設けられている。また受渡搬送ローラ３８及び搬送ローラ３９は、上下一対のローラの接触箇所が、カード挿脱口４３の後方の延長線上に位置している。この受渡搬送ローラ３８及び搬送ローラ３９は、側面視で時計回り及び反時計回りに回転可能に設けられており、引込回転方向に回転することにより、カード挿脱口４３から挿入されたカードＣＤをカード挿入方向ＤＣｉに沿って磁気ストライプＭＳが磁気ヘッド４４の上方を通過するよう搬送すると共に、繰出回転方向に回転することにより、カードＣＤをカード排出方向ＤＣｏに沿って搬送しカード挿脱口４３から排出する。
【００３２】
カードリーダ筐体３６内部には、磁気ストライプＭＳからカード情報を読み出す磁気ヘッド４４が、カードＣＤの磁気ストライプＭＳと対向するように固定されている。カードリーダ３４は、長手方向をカード挿入方向ＤＣｉに沿わせた状態でカードＣＤを搬送し、磁気ストライプＭＳに磁気ヘッド４４の上側を通過させることにより、カードＣＤのカード情報を読み取るカード情報読取動作を行う。またカード情報読取部３２は、カード受渡部４０からカードＣＤが挿入されたか、又は該カード受渡部４０からカードＣＤが取り出されたかを検出するカード検出センサ（図示せず）が設けられており、カードＣＤの検出結果を主制御部９へ送出する。
【００３３】
カード情報読取部３２には、上下左右方向に延びる平板状の板状部材であるシャッタ４６が設けられている。シャッタ４６は、前面において上下方向に沿う平面状のシャッタ前面４６Ｆが、上面において入出口上側内壁面４Ｕと平行に水平方向に沿う平面状のシャッタ上面４６Ｕが、下面において入出口下側内壁面４Ｄと平行に後方に向かうに連れて下方へ傾斜する平面状のシャッタ下面４６Ｄが形成されており、フロントパネル３０の板厚とほぼ同様の厚さを有し、カード入出口４に嵌まり込む大きさに形成されている。またシャッタ４６は、主制御部９に制御されるシャッタ駆動モータ（図示せず）により、利用者との間で取引を行わないアイドル状態の際にカード入出口４に嵌まり込み該カード入出口４を閉鎖する状態である入出口閉鎖状態（図３）と、利用者との間で取引を行う取引状態の際にフロントパネル３０の後方におけるカード入出口４の下方に位置し該カード入出口４を開放する状態である入出口開放状態（図４、図５及び図６）とに、ほぼ前後方向に沿って往復移動する。
【００３４】
入出口閉鎖状態においてシャッタ４６は、それぞれシャッタ上面４６Ｕが入出口上側内壁面４Ｕに、シャッタ下面４６Ｄが入出口下側内壁面４Ｄに隙間なく当接し、さらにシャッタ前面４６Ｆがフロントパネル３０の前面と段差なく面一となっている。
【００３５】
かかる構成において現金自動取引装置１は、アイドル状態から取引状態に移行し、カードＣＤからのカード情報の読み取りが必要と判断した場合、磁気ストライプＭＳがカードＣＤの下面側に位置する状態でカードＣＤをカード入出口４に入れるよう利用者に促す案内を操作表示部６に表示する。続いてカード情報読取部３２は、シャッタ４６を下後方であるシャッタ開放方向へスライド移動させ入出口閉鎖状態（図３）から入出口開放状態（図４）へ移行させることによりカード入出口４を開放すると共に、カード受渡部４０を前方へ移動させることにより受渡部退避状態（図４）からカード受渡状態（図５）へ移行させ、カードＣＤの挿入を待ち受ける。利用者は、カードＣＤをカード挿入方向ＤＣｉに沿ってカード受渡部４０に挿入する。
【００３６】
カード情報読取部３２は、受渡搬送ローラ３８でカードＣＤの後端を把持すると、受渡搬送ローラ３８及び搬送ローラ３９を引込回転方向に回転させることにより、カード挿入方向ＤＣｉに沿ってカード受渡部４０を通過させて該カードＣＤを引き込むよう搬送する。カードＣＤ全体がカード受渡部４０よりも後方に位置すると、カード情報読取部３２は、カード受渡部４０を後方へ移動させることによりカード受渡状態から受渡部退避状態へ移行させると共に、シャッタ４６を上前方であるシャッタ閉鎖方向へスライド移動させ入出口開放状態から入出口閉鎖状態へ移行させることによりカード入出口４を閉鎖する。続いてカード情報読取部３２は、カードＣＤをカード挿入方向ＤＣｉに沿って搬送し、カード情報読取動作を行う。
【００３７】
続いてカード情報読取部３２は、シャッタ４６をシャッタ開放方向へスライド移動させ入出口閉鎖状態から入出口開放状態へ移行させることによりカード入出口４を開放すると共に、カード受渡部４０を前方へ移動させることにより受渡部退避状態からカード受渡状態へ移行させることにより、カードＣＤを排出可能な状態とする。続いてカード情報読取部３２は、受渡搬送ローラ３８及び搬送ローラ３９を繰出回転方向に回転させることにより、カード排出方向ＤＣｏに沿ってカード受渡部４０を通過させて該カードＣＤを排出するよう搬送する。カードＣＤのほぼ全体がカード受渡部４０よりも前方に繰り出されカード取出待ち状態になった際、現金自動取引装置１は、カード受渡部４０からカードＣＤを取り出すよう利用者に促す案内を操作表示部６に表示する。利用者は、カードＣＤの前端を摘み、カード受渡部４０からカードＣＤをカード排出方向ＤＣｏに沿って移動させ、該カードＣＤを取り出す。
【００３８】
利用者によりカードＣＤが取り出されると、カード情報読取部３２は、カード受渡部４０を後方へ移動させることによりカード受渡状態から受渡部退避状態へ移行させると共に、シャッタ４６をシャッタ閉鎖方向へスライド移動させ入出口開放状態から入出口閉鎖状態へ移行させることによりカード入出口４を閉鎖し、取引状態からアイドル状態に移行する。
【００３９】
［１−４．効果等］
以上の構成においてカード情報読取部３２は、入出口閉鎖状態においてそれぞれシャッタ上面４６Ｕを入出口上側内壁面４Ｕに、シャッタ下面４６Ｄを入出口下側内壁面４Ｄに隙間なく当接させると共に、シャッタ前面４６Ｆをフロントパネル３０の前面と段差なく面一とするようにした。これによりカード情報読取部３２は、アイドル状態の際に入出口上側内壁面４Ｕ及び入出口下側内壁面４Ｄを外部に露出しないようにできるため、該入出口上側内壁面４Ｕ及び該入出口下側内壁面４Ｄにスキミングデバイスを装着されないようにできる。
【００４０】
またカード情報読取部３２は、仮に入出口上側内壁面４Ｕ又は入出口下側内壁面４Ｄにスキミングデバイスを装着された場合、シャッタ４６がカード入出口４に嵌まり込まなくなり、カード入出口４が閉鎖されなくなる。このためカード情報読取部３２は、図示しない光学式のシャッタ検出センサでシャッタ４６の位置を検出し、入出口閉鎖状態となるべき状態においてカード入出口４が閉鎖しなかった場合、スキミングデバイスが装着されたと判断することができる。
【００４１】
またカード情報読取部３２は、アイドル状態においてシャッタ前面４６Ｆをフロントパネル３０の前面と面一とするようにした。このためカード情報読取部３２は、仮にカード入出口４周辺のフロントパネル３０にスキミングデバイスが取り付けられた場合、該スキミングデバイスだけがフロントパネル３０から前方に突出するため利用者に該スキミングデバイスを発見させやすくできる。
【００４２】
またカード情報読取部３２は、アイドル状態においては受渡部退避状態とし、取引状態のときのみカード受渡状態とするようにした。これによりカード情報読取部３２は、カード受渡部がフロントパネル３０の前方に固定されている場合と比べて、アイドル状態においてカード受渡部を外部に露出しないようにできるため、該カード受渡部４０にスキミングデバイスを装着されないようにできる。
【００４３】
さらにカード情報読取部３２は、入出口開放状態且つカード受渡状態においてそれぞれ受渡先端部４２の上面を入出口上側内壁面４Ｕに、受渡先端部４２の下面を入出口下側内壁面４Ｄに隙間なく当接させるようにした。これによりカード情報読取部３２は、カード情報読取動作時に入出口上側内壁面４Ｕ及び入出口下側内壁面４Ｄを外部に露出しないようにできるため、該入出口上側内壁面４Ｕ及び該入出口下側内壁面４Ｄにスキミングデバイスを装着されないようにできる。
【００４４】
またカード情報読取部３２は、カード情報読取動作中は入出口閉鎖状態且つ受渡部退避状態とするようにした。これによりカード情報読取部３２は、カード情報読取動作中にカード入出口４及びカード受渡部４０の内側にスキミングデバイスを装着されることを防ぐことができる。
【００４５】
またカード情報読取部３２は、入出口開放状態においてシャッタ４６をフロントパネル３０の奥側（後側）に位置させるようにした。これによりカード情報読取部３２は、入出口開放状態においてシャッタ４６をフロントパネル３０の手前側（前側）に位置させる場合と比べて、利用者に対しシャッタ４６にアクセスし難くすることができ、該シャッタ４６にスキミングデバイスを取り付けられ難くすることができる。
【００４６】
このようにカード情報読取部３２は、カード入出口４の周辺、カード受渡部４０の周辺、フロントパネル３０及びシャッタ４６等、該カード情報読取部３２におけるいかなる場所にもスキミングデバイスを実装するスペースを無くし、スキミング被害を防止することができる。
【００４７】
またカード情報読取部３２は、シャッタ４６をカード入出口４からフロントパネル３０の後方へ移動させつつ下側へスライド移動させ入出口閉鎖状態から入出口開放状態へ移行させるようにした。これによりカード情報読取部３２は、カード入出口４からシャッタ４６をフロントパネル３０の前方へ移動させつつ下側へスライド移動させる場合と比べて、利用者の手に該シャッタ４６が接触してしまうことを防止できる。
【００４８】
以上の構成によれば現金自動取引装置１は、アイドル状態においてそれぞれシャッタ上面４６Ｕを入出口上側内壁面４Ｕに、シャッタ下面４６Ｄを入出口下側内壁面４Ｄに隙間なく当接させると共に、シャッタ前面４６Ｆをフロントパネル３０の前面と段差なく面一とし、取引状態においてシャッタ４６を移動させてカード入出口４を開放し、カード入出口４よりも奥側に退避した状態のカード受渡部４０を該カード入出口４に隙間なく嵌まり込むよう手前側に移動させ、該カード受渡部４０を介しカードＣＤを挿脱するようにした。これにより現金自動取引装置１は、カード入出口４、カード受渡部４０、フロントパネル３０及びシャッタ４６にスキミングデバイスを装着され難くすることができる。
【００４９】
［２．第２の実施の形態］
［２−１．現金自動取引装置の構成］
図１及び図２に示すように、第２の実施の形態による現金自動取引装置１０１は、第１の実施の形態による現金自動取引装置１と比べて、カード情報読取部１３２がカード情報読取部３２と異なっているものの、それ以外は同様に構成されている。
【００５０】
［２−２．カード情報読取部の構成］
図３と対応する図７と、図５と対応する図８とに示すように、カード情報読取部１３２は、カード入出口１０４が、カード入出口４よりも上下方向の開口幅が狭く形成されている。このカード入出口１０４は、カードＣＤの短手方向の長さよりも僅かに長い幅だけ左右方向に沿って開口すると共に該カードＣＤの厚さよりも僅かに長い高さだけ上下方向に沿って開口するスリット状の孔部である。
【００５１】
カードリーダ１３４のカードリーダ筐体３６の前側においてカード入出口１０４と対向する箇所には、カード受渡部１４０が固定されている。カード受渡部１４０は、カード入出口１０４と同じ大きさで開口するスリット状の開口部であるカード挿脱口１４３が形成されることにより、カード入出口１０４とカードリーダ筐体３６との間をカードＣＤが通過する際に該カードＣＤの移動をガイドする。
【００５２】
フロントパネル３０におけるカード入出口１０４の下側には、側面視台形状のステージ５０が固定されている。ステージ５０は、水平方向に沿う平面状に形成された上面であるステージ上面５０Ｕが、入出口下側内壁面１０４Ｄと面一となっている。ステージ５０は、ステージ上面５０Ｕにより、カード入出口１０４にカードＣＤが挿入される際に該カードＣＤの移動をガイドする。図９に示すように、ステージ５０のステージ上面５０Ｕにおいて、カードＣＤが通過する際に該カードＣＤの磁気ストライプＭＳと対向する箇所には、平面状の平面部５０Ｕｆから下方に向かって正面視で四角形状に切り欠かれた凹部５０Ｕｃが形成されている。
【００５３】
カード情報読取部１３２には、湾曲形状の板状部材でありカード入出口１０４を覆うシャッタ１４６が設けられている。シャッタ１４６は、カード入出口１０４の上方においてフロントパネル３０に穿設された孔部を介し、フロントパネル３０の後方から前方に向かってその一部分を突出させており、回動して移動可能に構成されている。またシャッタ１４６は、主制御部９に制御されるシャッタ駆動モータ（図示せず）により、アイドル状態の際に下端面である開閉部下面としてのシャッタ下面１４６Ｄがステージ上面５０Ｕに当接しカード入出口１０４を閉鎖する状態である入出口閉鎖状態（図７）と、アイドル状態の際にシャッタ下面１４６Ｄがステージ上面５０Ｕよりも上方へ離隔しカード入出口１０４を開放する状態である入出口開放状態（図８）とに、湾曲面が湾曲する方向に沿って回動するよう往復移動する。
【００５４】
シャッタ１４６の上端には、板状の検出部５２が設けられている。また図９に示すように、シャッタ下面１４６Ｄにおいて、カードＣＤが通過する際に該カードＣＤの磁気ストライプＭＳの裏面と対向する箇所、すなわちステージ５０の凹部５０Ｕｃと対向する箇所には、凹部５０Ｕｃの切り欠き形状と同様の形状且つほぼ同様の大きさで、平面状の平面部１４６Ｄｆから下方に向かって正面視で四角形状に突出する凸部１４６Ｄｖが形成されている。
【００５５】
入出口閉鎖状態（図７及び図９）においては、シャッタ１４６の凸部１４６Ｄｖがステージ５０の凹部５０Ｕｃに隙間なく嵌まり込むと共に、シャッタ１４６の前面であるシャッタ前面１４６Ｆの下端部がステージ５０の前面であるステージ前面５０Ｆの上端部と面一になっている。このシャッタ１４６の凸部１４６Ｄｖとステージ５０の凹部５０Ｕｃとにより、シャッタ下面１４６Ｄとステージ上面５０Ｕとの接触面において、左端から右端に亘って左右方向に沿って直線状ではなくなる噛合部５５が形成されている。すなわち噛合部５５は、通過するカードＣＤが延びる面方向である水平方向と平行でない方向に延びる面を形成している。
【００５６】
シャッタ１４６の検出部５２の移動経路上には、該シャッタ１４６の開閉状態を検出する光学式のシャッタ検出センサ５４が設けられており、シャッタ１４６の検出結果を主制御部９へ送出する。入出口閉鎖状態（図７）においては、シャッタ１４６の検出部５２がシャッタ検出センサ５４の光軸を遮るため、該シャッタ検出センサ５４は、オン状態を主制御部９へ送出する。一方入出口開放状態（図８）においては、シャッタ１４６の検出部５２がシャッタ検出センサ５４の光軸を遮らないため、該シャッタ検出センサ５４は、オフ状態を主制御部９へ送出する。
【００５７】
かかる構成において現金自動取引装置１０１は、アイドル状態において入出口閉鎖状態となり、シャッタ検出センサ５４がオン状態を検出する。また現金自動取引装置１０１は、アイドル状態から取引状態に移行し、カードＣＤからのカード情報の読み取りが必要と判断した場合、カードＣＤをカード入出口１０４に入れるよう利用者に促す案内を操作表示部６に表示する。続いてカード情報読取部１３２は、シャッタ４６を後方であるシャッタ開放方向へ回動させ入出口閉鎖状態（図７）から入出口開放状態（図８）へ移行させることによりカード入出口１０４を開放し、カードＣＤの挿入を待ち受ける。この入出口開放状態においてシャッタ検知センサは、オフ状態を検出する。利用者は、カードＣＤをカード挿入方向ＤＣｉに沿ってカード受渡部１４０に挿入する。
【００５８】
カード情報読取部１３２は、受渡搬送ローラ３８でカードＣＤの後端を把持すると、受渡搬送ローラ３８及び搬送ローラ３９を引込回転方向に回転させることにより、カード挿入方向ＤＣｉに沿ってカード受渡部１４０を通過させて該カードＣＤを引き込むよう搬送する。カードＣＤ全体がカード受渡部１４０よりも後方に位置すると、カード情報読取部１３２は、シャッタ１４６を前方であるシャッタ閉鎖方向へ回動させ入出口開放状態から入出口閉鎖状態へ移行させることによりカード入出口１０４を閉鎖する。続いてカード情報読取部１３２は、カードＣＤをカード挿入方向ＤＣｉに沿って搬送し、カード情報読取動作を行う。
【００５９】
続いてカード情報読取部１３２は、シャッタ１４６をシャッタ開放方向へ回動させ入出口閉鎖状態から入出口開放状態へ移行させることによりカード入出口１０４を開放することにより、カードＣＤを排出可能な状態とする。続いてカード情報読取部１３２は、受渡搬送ローラ３８及び搬送ローラ３９を繰出回転方向に回転させることにより、カード排出方向ＤＣｏに沿ってカード受渡部１４０を通過させて該カードＣＤを排出するよう搬送する。カードＣＤのほぼ全体がカード受渡部１４０よりも前方に繰り出されカード取出待ち状態になった際、現金自動取引装置１０１は、カード受渡部１４０からカードＣＤを取り出すよう利用者に促す案内を操作表示部６に表示する。利用者は、カードＣＤの前端を摘み、カード受渡部１４０からカードＣＤを取り出す。
【００６０】
利用者によりカードＣＤが取り出されると、カード情報読取部１３２は、シャッタ４６をシャッタ閉鎖方向へ回動させ入出口開放状態（図８）から入出口閉鎖状態（図７）へ移行させることによりカード入出口１０４を閉鎖し、取引状態からアイドル状態に移行する。
【００６１】
［２−３．効果等］
以上の構成においてカード情報読取部１３２は、入出口閉鎖状態においてシャッタ下面１４６Ｄをステージ上面５０Ｕに隙間なく当接させるようにした。これによりカード情報読取部１３２は、アイドル状態においてステージ上面５０Ｕ及びカード入出口１０４を外部に露出しないようにできるため、ステージ上面５０Ｕ、入出口上側内壁面１０４Ｕ及び入出口下側内壁面１０４Ｄにスキミングデバイスを装着されないようにできる。
【００６２】
また仮に、取引状態において露出しているステージ上面５０Ｕやカード入出口１０４周辺にスキミングデバイスが装着された場合、入出口開放状態から入出口閉鎖状態へ移行しようとしても、該スキミングデバイスがシャッタ１４６に干渉するため、該シャッタ１４６のシャッタ下面１４６Ｄがステージ５０のステージ上面５０Ｕに当接しなくなる。このためカード情報読取部１３２は、入出口閉鎖状態へ移行しているにも拘らずシャッタ検出センサ５４でオフ状態を検出し続けた場合、エラーとして判断することにより、スキミングデバイスが装着されたことを発見できる。
【００６３】
また仮に、スキミングデバイスが取り付けられた不正なカード挿脱ガイドが、アイドル状態においてシャッタ１４６やステージ５０を覆うように装着された場合、入出口閉鎖状態から入出口開放状態へ移行しようとしても、該カード挿脱ガイドがシャッタ１４６に干渉するため、該シャッタ１４６がシャッタ開放方向へ回動できなくなる。このためカード情報読取部１３２は、入出口開放状態へ移行しているにも拘らずシャッタ検出センサ５４でオン状態を検出し続けた場合、エラーとして判断することにより、不正なカード挿脱ガイドが装着されたことを発見できる。
【００６４】
ここで仮に、シャッタ下面１４６Ｄとステージ上面５０Ｕとが全体に亘って平面形状で構成されており、上下方向に薄いスキミングデバイスがステージ上面５０Ｕに装着された場合、シャッタ１４６とステージ５０との製造精度によっては、シャッタ下面１４６Ｄがステージ上面５０Ｕにほぼ当接するまでシャッタ１４６が回動してしまう可能性がある。この場合カード情報読取部１３２は、シャッタ検出センサ５４でオン状態を検出し、入出口閉鎖状態へ移行したと判定してしまい、スキミングデバイスが装着されたことを発見できなくなってしまう。
【００６５】
これに対しカード情報読取部１３２は、入出口閉鎖状態において、カードＣＤの磁気ストライプＭＳに対応した位置に配されるシャッタ１４６の凸部１４６Ｄｖがステージ５０の凹部５０Ｕｃに隙間なく嵌まり込むようにした。このため、シャッタ下面１４６Ｄとステージ上面５０Ｕとの接触面は、左右方向に沿って直線状ではなくなる。このため上下方向に薄いスキミングデバイスがステージ上面５０Ｕに装着された場合、シャッタ１４６の凸部１４６Ｄｖが該スキミングデバイスに当接することとなり、シャッタ下面１４６Ｄにおける平面部１４６Ｄｆが、ステージ上面５０Ｕに対し大きく隙間を空けて位置することとなる。これによりカード情報読取部１３２は、シャッタ検出センサ５４でオフ状態を検出することができ、スキミングデバイスがステージ上面５０Ｕに装着されたことを確実に発見できる。またカード情報読取部１３２は、ステージ上面５０Ｕにスキミングデバイスが取り付けられた場合、シャッタ下面１４６Ｄとステージ上面５０Ｕとの間に隙間が形成されるため、利用者に違和感を与え、該利用者に該スキミングデバイスを発見させやすくできる。
【００６６】
さらにカード情報読取部１３２は、ステージ上面５０Ｕの大部分を平面形状の平面部５０Ｕｆとし、一部分に凹部５０Ｕｃを形成するようにした。このためカード情報読取部１３２は、仮に凹部５０Ｕｃに代えてステージ上面５０Ｕに凸部を形成する場合と比較して、ステージ上面５０Ｕの大部分を占める平面形状の平面部５０Ｕｆにより、カードＣＤがステージ上面５０Ｕに引っ掛かることを防ぎ、カードＣＤの移動をスムーズにガイドすることができる。
【００６７】
またカード情報読取部１３２は、アイドル状態においてシャッタ前面１４６Ｆをステージ前面５０Ｆと面一とするようにした。これによりカード情報読取部１３２は、アイドル状態の際にステージ上面５０Ｕにスキミングデバイスを装着されないようにできると共に、仮にステージ前面５０Ｆ周辺にスキミングデバイスが取り付けられた場合、該スキミングデバイスだけがステージ前面５０Ｆ及びシャッタ前面１４６Ｆから前方に突出するため利用者に該スキミングデバイスを発見させやすくできる。
【００６８】
このようにカード情報読取部１３２は、カード入出口１０４の周辺、フロントパネル３０、ステージ５０の周辺及びシャッタ１４６等、該カード情報読取部１３２におけるいかなる場所にもスキミングデバイスを実装するスペースを無くし、スキミング被害を防止することができる。
【００６９】
以上の構成によれば現金自動取引装置１０１は、アイドル状態においてそれぞれシャッタ下面１４６Ｄをステージ上面５０Ｕに隙間なく当接させると共に、シャッタ前面１４６Ｆをステージ前面５０Ｆと段差なく面一とし、取引状態においてシャッタ１４６を回動させてカード入出口１０４を開放するようにした。また現金自動取引装置１０１は、シャッタ下面１４６Ｄとステージ上面５０Ｕとの接触面において噛合部５５を形成するようにした。これにより現金自動取引装置１０１は、カード入出口１０４、フロントパネル３０、ステージ５０及びシャッタ１４６にスキミングデバイスを装着され難くすることができる。
【００７０】
その他第２の実施の形態によるカード情報読取部１３２は、第１の実施の形態によるカード情報読取部３２とほぼ同様の作用効果を奏する。
【００７１】
［３．第３の実施の形態］
［３−１．現金自動取引装置の構成］
図１及び図２に示すように、第３の実施の形態による現金自動取引装置２０１は、第２の実施の形態による現金自動取引装置１０１と比べて、カード情報読取部２３２がカード情報読取部１３２と異なっているものの、それ以外は同様に構成されている。
【００７２】
［３−２．カード情報読取部の構成］
図８と対応する図１０と、図１１とに示すように、カード情報読取部２３２は、カード入出口２０４が、カード入出口１０４よりも上下方向の開口幅が広く形成されている。このカード入出口２０４は、カードＣＤの短手方向の長さよりも長い内径で円形状に開口している。
【００７３】
カード情報読取部２３２には、円板状部材でありカード入出口２０４を覆うシャッタ２４６が設けられている。シャッタ２４６は、シャッタ前側部６６Ｆ、シャッタ中央部６６Ｃ及びシャッタ後側部６６Ｂにより構成されている。シャッタ前側部６６Ｆは、シャッタ２４６の前部においてカード入出口２０４の内径よりも大きい外径を有する円柱形状であり、後面がフロントパネル３０の前面と僅かな隙間を空けている。シャッタ後側部６６Ｂは、シャッタ２４６の後部においてカード入出口２０４の内径よりも大きい外径を有する円柱形状であり、前面がフロントパネル３０の後面と僅かな隙間を空けている。またシャッタ後側部６６Ｂは、歯車状であり、外周面（周側面）において円周方向（回転方向）に沿って所定ピッチで歯部６６Ｇが形成されている。シャッタ中央部６６Ｃは、シャッタ前側部６６Ｆとシャッタ後側部６６Ｂとの間においてカード入出口２０４の内径よりも小さい外径を有する円柱形状であり、外周面がカード入出口２０４と僅かな隙間を空けている。
【００７４】
シャッタ２４６の正面視中央部には、カードリーダ１３４のカード受渡部１４０のカード挿脱口１４３と同じ大きさで開口するスリット状の開口部である開閉部貫通孔としてのシャッタ貫通孔６６Ｈが、シャッタ前側部６６Ｆの前面であるシャッタ前面２４６Ｆからシャッタ後側部６６Ｂの後面であるシャッタ後面２４６Ｂまでを貫通するよう穿設されている。またシャッタ前面２４６Ｆは、細かい凹凸面となっていることにより、該シャッタ前面２４６Ｆにスキミングデバイスを装着され難くなっている。シャッタ２４６のシャッタ後側部６６Ｂの周側面からは、板状の検出部２５２が放射状に突出している。
【００７５】
このシャッタ２４６は、主制御部９に制御されるモータ及び該モータの出力軸に固定された歯車であるシャッタ駆動部２６０と、歯部６６Ｇとが噛合しており、円板形状の中心を軸としてカード挿脱口１４３を開放する回転方向であるシャッタ開放方向と、カード挿脱口１４３を閉鎖する回転方向であるシャッタ閉鎖方向とに回転可能に構成されている。すなわちシャッタ２４６は、アイドル状態の際にシャッタ貫通孔６６Ｈにおける正面視の長手方向がカード挿脱口１４３における正面視の長手方向に直交し該カード挿脱口１４３を閉鎖する状態である入出口閉鎖状態（図１１中実線で示す）と、取引状態の際にシャッタ貫通孔６６Ｈにおける正面視の長手方向がカード挿脱口１４３における正面視の長手方向と平行になりカード挿脱口１４３を開放する状態である入出口開放状態（図１１中一点鎖線で示す）とに９０度回動する。この入出口開放状態においては、シャッタ貫通孔６６Ｈがカード挿脱口１４３の正面に位置することによりシャッタ前面２４６Ｆからカード挿脱口１４３までが挿通され、シャッタ貫通孔６６Ｈを介しカードＣＤが挿脱可能な状態となる。
【００７６】
シャッタ２４６の検出部２５２の移動経路上であり該シャッタ２４６のシャッタ後側部６６Ｂの下方には、シャッタ２４６の開閉状態を検出する光学式のシャッタ検出センサ２５４が設けられており、シャッタ２４６の検出結果を主制御部９へ送出する。入出口閉鎖状態においては、シャッタ２４６の検出部２５２がシャッタ検出センサ２５４の光軸を遮るため、該シャッタ検出センサ２５４は、オン状態を主制御部９へ送出する。一方入出口開放状態においては、シャッタ２４６の検出部５２がシャッタ検出センサ２５４の光軸を遮らないため、該シャッタ検出センサ２５４は、オフ状態を主制御部９へ送出する。
【００７７】
［３−３．効果等］
以上の構成においてカード情報読取部２３２は、入出口閉鎖状態においてシャッタ貫通孔６６Ｈをカード挿脱口１４３に直交させることにより、該シャッタ貫通孔６６Ｈの全体と該カード挿脱口１４３の全体とを連通させないようにし、シャッタ２４６でカード挿脱口１４３を閉鎖するようにした。これによりカード情報読取部２３２は、アイドル状態においてカード挿脱口１４３を外部に露出しないようにできるため、カード挿脱口１４３周辺にスキミングデバイスを装着されないようにできる。一方カード情報読取部２３２は、入出口開放状態においてシャッタ貫通孔６６Ｈをカード挿脱口１４３と平行にすることにより、該シャッタ貫通孔６６Ｈの全体と該カード挿脱口１４３の全体とを連通させ、カード挿脱口１４３を開放するようにした。これによりカード情報読取部２３２は、取引状態の際にカード挿脱口１４３を外部に露出させることができるため、カードＣＤをカードリーダ１３４に対し挿脱することができる。
【００７８】
またカード情報読取部２３２は、カード挿脱口１４３の前方の近傍でシャッタ２４６を回転移動させるようにした。これによりカード情報読取部２３２は、仮にカード挿脱口１４３周辺にスキミングデバイスを装着された場合、該スキミングデバイスがシャッタ２４６に干渉するため、シャッタ２４６がシャッタ閉鎖方向及びシャッタ開放方向へ回転できなくなる。このためカード情報読取部２３２は、シャッタ２４６がシャッタ閉鎖方向又はシャッタ開放方向へ回転しないことをシャッタ検出センサ２５４で検出した場合、スキミングデバイスが装着されたと判断することができる。
【００７９】
以上の構成によれば現金自動取引装置２０１は、カード挿脱口１４３の前方でありカード入出口２０４の内側に回転可能な円板状のシャッタ２４６を設け、アイドル状態においてシャッタ２４６のシャッタ貫通孔６６Ｈをカード挿脱口１４３と直交させ該カード挿脱口１４３を閉鎖すると共に、取引状態においてシャッタ２４６のシャッタ貫通孔６６Ｈをカード挿脱口１４３と平行にして該カード挿脱口１４３を開放するようにした。これにより現金自動取引装置２０１は、フロントパネル３０、カード受渡部１４０及びシャッタ２４６にスキミングデバイスを装着され難くすることができる。
【００８０】
その他第３の実施の形態によるカード情報読取部２３２は、第２の実施の形態によるカード情報読取部１３２とほぼ同様の作用効果を奏する。
【００８１】
［４．第４の実施の形態］
［４−１．現金自動取引装置の構成］
図１及び図２に示すように、第４の実施の形態による現金自動取引装置３０１は、第２の実施の形態による現金自動取引装置１０１と比べて、カード情報読取部３３２がカード情報読取部１３２と異なっているものの、それ以外は同様に構成されている。
【００８２】
［４−２．カード情報読取部の構成］
図１２及び図１３に示すように、カード情報読取部３３２は、平板状の板状部材でありカード受渡部１４０のカード挿脱口１４３全体を覆うシャッタ３４６が設けられている。シャッタ３４６は、いわゆる両開き扉であり、右側に位置するシャッタ３４６Ｒ及び左側に位置するシャッタ３４６Ｌにより構成されている。以下ではシャッタ３４６Ｒ及び３４６Ｌをまとめてシャッタ３４６とも呼ぶ。シャッタ３４６Ｒは、右端に設けられたシャッタ駆動部６０Ｒを支点としてカード挿脱口１４３を開放する手間側への回動方向であるシャッタ開放方向と、カード挿脱口１４３を閉鎖する奥側への回動方向であるシャッタ閉鎖方向とに回動可能に構成されている。またシャッタ３４６Ｌは、左端に設けられたシャッタ駆動部６０Ｌを支点としてシャッタ開放方向及びシャッタ閉鎖方向に回動可能に構成されている。以下ではシャッタ駆動部６０Ｒ及び６０Ｌをまとめてシャッタ駆動部６０とも呼ぶ。
【００８３】
シャッタ３４６においてカード挿脱口１４３と対向する箇所には、カード挿脱口１４３の開口部の大きさよりも外形が僅かに小さく構成された突起である嵌合突起５８が、該カード挿脱口１４３に向かって突設している。
【００８４】
またシャッタ３４６は、主制御部９に制御されるシャッタ駆動部６０により、アイドル状態の際にフロントパネル３０と平行になりカード挿脱口１４３を閉鎖する状態である入出口閉鎖状態（図１３中実線で示す）と、取引状態の際にフロントパネル３０に直交しカード挿脱口１４３を開放する状態である入出口開放状態（図１２と、図１３中一点鎖線で示す）とに回動する。
【００８５】
入出口閉鎖状態においては、シャッタ３４６の嵌合突起５８がカード挿脱口１４３に隙間なく嵌まり込むと共に、シャッタ３４６の前面であるシャッタ前面３４６Ｆがフロントパネル３０と面一になっている。
【００８６】
カード情報読取部３３２は、シャッタ３４６の開閉状態を検出するシャッタ検出センサ（図示せず）が設けられており、シャッタ３４６の検出結果を主制御部９へ送出する。
【００８７】
［４−３．効果等］
以上の構成においてカード情報読取部３３２は、入出口閉鎖状態において左右両開き扉であるシャッタ３４６でカード挿脱口１４３を閉鎖するようにした。これによりカード情報読取部３３２は、アイドル状態においてカード挿脱口１４３を外部に露出しないようにできるため、カード挿脱口１４３周辺にスキミングデバイスを装着されないようにできる。
【００８８】
またカード情報読取部３３２は、入出口閉鎖状態においてシャッタ３４６の嵌合突起５８をカード挿脱口１４３に嵌め込むようにした。これによりカード情報読取部３３２は、仮にカード挿脱口１４３にスキミングデバイスを装着された場合、シャッタ３４６の嵌合突起５８がカード挿脱口１４３に嵌まり込まなくなる。このためカード情報読取部３３２は、図示しないシャッタ検出センサでシャッタ３４６の位置を検出し、入出口閉鎖状態となるべき状態においてシャッタ３４６が閉鎖しなかった場合、スキミングデバイスが装着されたと判断することができる。
【００８９】
また仮に、シャッタ３４６Ｒ及び３４６Ｌの両方に亘るようにシャッタ前面３４６Ｆにスキミングデバイスが装着された場合、入出口閉鎖状態から入出口開放状態へ移行しようとしても、該スキミングデバイスがシャッタ３４６に干渉するため、シャッタ３４６がシャッタ開放方向へ回動できなくなる。このためカード情報読取部３３２は、入出口開放状態へ移行しようとしているにも拘らずシャッタ３４６がシャッタ開放方向へ移動しないことを図示しないシャッタ検出センサで検出した場合、スキミングデバイスが装着されたと判断することができる。
【００９０】
また仮に、シャッタ３４６Ｒ又は３４６Ｌの何れか一方のシャッタ前面３４６Ｆにスキミングデバイスが装着された場合、入出口閉鎖状態から入出口開放状態へ移行すると、シャッタ開放方向へのシャッタ３４６の回動に応じて該スキミングデバイスも該シャッタ３４６と共に移動しカードＣＤの移動経路上から外れることとなる。これによりカード情報読取部３３２は、仮にシャッタ３４６Ｒ又は３４６Ｌの一方にスキミングデバイスが装着されたとしても、カードＣＤからカード情報を不正に取得されないようにできる。
【００９１】
以上の構成によれば現金自動取引装置３０１は、カード挿脱口１４３の前方に左右両開き扉であるシャッタ３４６を設け、アイドル状態においてシャッタ３４６をフロントパネル３０と平行にしてカード挿脱口１４３を閉鎖すると共に、取引状態においてシャッタ３４６を手前側に回動することによりカード挿脱口１４３を開放するようにした。これにより現金自動取引装置３０１は、フロントパネル３０、カード受渡部１４０及びシャッタ３４６にスキミングデバイスを装着され難くすることができる。
【００９２】
その他第４の実施の形態によるカード情報読取部３３２は、第２の実施の形態によるカード情報読取部１３２とほぼ同様の作用効果を奏する。
【００９３】
［５．第５の実施の形態］
［５−１．現金自動取引装置の構成］
図１及び図２に示すように、第５の実施の形態による現金自動取引装置４０１は、第４の実施の形態による現金自動取引装置３０１と比べて、カード情報読取部４３２がカード情報読取部３３２と異なっているものの、それ以外は同様に構成されている。
【００９４】
［５−２．カード情報読取部の構成］
図１２と対応する図１４と、図１３と対応する図１５とに示すように、カード情報読取部４３２は、平板状の板状部材でありカード受渡部１４０のカード挿脱口１４３全体を覆うシャッタ４４６が設けられている。シャッタ４４６は、いわゆるスライド扉であり、カード挿脱口１４３を開放する右方向であるシャッタ開放方向と、カード挿脱口１４３を閉鎖する左方向であるシャッタ閉鎖方向とに往復移動可能に構成されている。
【００９５】
またシャッタ４４６は、該シャッタ４４６の上端の後方に左右方向に沿って設けられ主制御部９に制御されるシャッタ駆動部４６０により、アイドル状態の際にカード挿脱口１４３の前方に位置し該カード挿脱口１４３を閉鎖する状態である入出口閉鎖状態（図１４及び図１５中実線で示す）と、取引状態の際にカード挿脱口１４３の前方且つ右側に位置し該カード挿脱口１４３を開放する状態である入出口開放状態（図１４及び図１５中一点鎖線で示す）とに左右方向に沿って往復移動する。
【００９６】
シャッタ４４６及びシャッタ駆動部４６０には、シャッタ４４６の開閉状態を検出する光学式のシャッタ検出センサ４５４が設けられており、シャッタ４４６の検出結果を主制御部９へ送出する。シャッタ検出センサ４５４は、発光素子６２及び受光素子６３により構成されている。発光素子６２は、シャッタ４４６の後面に設けられており、受光素子６３に向けて定期的に検出光を照射する。受光素子６３は、シャッタ駆動部４６０の前面における、入出口閉鎖状態において発光素子６２と対向する箇所に設けられており、発光素子６２が照射した検出光を受光する。これらの発光素子６２及び受光素子６３は、図示しないケーブルにより主制御部９と接続されている。
【００９７】
入出口閉鎖状態においては、発光素子６２が照射した検出光を受光素子６３が受光するため、シャッタ検出センサ４５４は、オン状態を主制御部９へ送出する。一方入出口開放状態においては、発光素子６２が照射した検出光を受光素子６３が受光しないため、シャッタ検出センサ４５４は、オフ状態を主制御部９へ送出する。
【００９８】
［５−３．効果等］
以上の構成においてカード情報読取部４３２は、入出口閉鎖状態において左右スライド扉であるシャッタ４４６でカード挿脱口１４３を閉鎖するようにした。これによりカード情報読取部４３２は、アイドル状態においてカード挿脱口１４３を外部に露出しないようにできるため、カード挿脱口１４３周辺にスキミングデバイスを装着されないようにできる。
【００９９】
またカード情報読取部４３２は、カード挿脱口１４３の前方の近傍でシャッタ４４６をスライド移動させるようにした。これによりカード情報読取部４３２は、仮に取引状態の際にシャッタ４４６が入出口開放状態で保持されカード挿脱口１４３周辺にスキミングデバイスを装着された場合、入出口開放状態から入出口閉鎖状態へ移行しようとしても、該スキミングデバイスがシャッタ４４６に干渉するため、シャッタ４４６がシャッタ閉鎖方向へ移動できなくなる。このためカード情報読取部４３２は、入出口閉鎖状態へ移行しようとしているにも拘らずシャッタ４４６がシャッタ閉鎖方向へ移動しないことをシャッタ検出センサ４５４で検出した場合、スキミングデバイスが装着されたと判断することができる。
【０１００】
またカード情報読取部４３２は、シャッタ４４６の開閉状態を検出するシャッタ検出センサ４５４を設けるようにした。このためカード情報読取部４３２は、仮に取引状態の際にシャッタ４４６が入出口開放状態で保持されカード挿脱口１４３周辺にスキミングデバイスを装着されようとした場合、取引状態においてシャッタ検出センサ４５４でオフ状態を所定時間以上検出し続けた場合、エラーとして判断することにより、スキミングデバイスが装着されることを防止できる。
【０１０１】
以上の構成によれば現金自動取引装置４０１は、カード挿脱口１４３の前方に左右スライド扉であるシャッタ４４６を設け、アイドル状態においてシャッタ４４６をカード挿脱口１４３の前方に位置させ該カード挿脱口１４３を閉鎖すると共に、取引状態においてシャッタ４４６をカード挿脱口１４３よりも右側にスライドさせることによりカード挿脱口１４３を開放するようにした。これにより現金自動取引装置４０１は、フロントパネル３０、カード受渡部１４０及びシャッタ４４６にスキミングデバイスを装着され難くすることができる。
【０１０２】
その他第５の実施の形態によるカード情報読取部４３２は、第４の実施の形態によるカード情報読取部３３２とほぼ同様の作用効果を奏する。
【０１０３】
［６．他の実施の形態］
なお上述した第１の実施の形態においては、カード情報読取動作中は入出口閉鎖状態且つ受渡部退避状態とする場合について述べた。本発明はこれに限らず、カード情報読取動作中は入出口開放状態且つカード受渡状態としても良い。
【０１０４】
また上述した第１の実施の形態においては、シャッタ４６をほぼ上下方向に沿って、カード入出口４と、フロントパネル３０の後方における該カード入出口４の下方との間をスライドするよう往復移動させることにより入出口開放状態と入出口閉鎖状態とを遷移する場合について述べた。本発明はこれに限らず、シャッタを左右方向に沿ってスライドするよう往復移動させたり、シャッタをカード入出口４と、フロントパネル３０の前方における該カード入出口４の下方との間をスライドして往復移動させたり、シャッタを回転させたりする等、種々の移動方法により入出口開放状態と入出口閉鎖状態とを遷移しても良い。
【０１０５】
さらに上述した第１の実施の形態においては、入出口閉鎖状態においてシャッタ前面４６Ｆをフロントパネル３０の前面と面一にする場合について述べた。本発明はこれに限らず、入出口閉鎖状態においてシャッタ前面４６Ｆをフロントパネル３０の前面よりも前方又は後方に位置させても良い。
【０１０６】
さらに上述した第１の実施の形態においては、アイドル状態においてシャッタ４６を静止する場合について述べた。本発明はこれに限らず、アイドル状態において定期的にシャッタ４６を僅かに移動させても良く、又はアイドル状態において人が現金自動取引装置１に近づいて来たときのみシャッタ４６を僅かに移動させても良い。その場合、シャッタ４６にスキミングデバイスを装着させ難くすることができる。第２乃至第５の実施の形態においても同様である。
【０１０７】
さらに上述した第１の実施の形態においては、シャッタ４６の開閉状態を検出する光学式のシャッタ検出センサを設ける場合について述べた。本発明はこれに限らず、磁気式等、種々の方式のセンサによりシャッタ４６の開閉状態を検出しても良い。第２乃至第５の実施の形態においても同様である。
【０１０８】
さらに上述した第２の実施の形態においては、カード情報読取動作中は入出口閉鎖状態とする場合について述べた。本発明はこれに限らず、カード情報読取動作中は入出口開放状態としても良い。第３乃至第５の実施の形態においても同様である。
【０１０９】
さらに上述した第２の実施の形態においては、シャッタ１４６の凸部１４６Ｄｖとステージ５０の凹部５０Ｕｃとにより噛合部５５を形成する場合について述べた。本発明はこれに限らず、シャッタ下面１４６Ｄに形成した凹部と、ステージ上面５０Ｕに形成した凸部とにより噛合部を形成しても良い。
【０１１０】
さらに上述した第２の実施の形態においては、カードＣＤの磁気ストライプＭＳが配された箇所に噛合部５５を形成する場合について述べた。本発明はこれに限らず、シャッタ下面１４６Ｄとステージ上面５０Ｕとにおける任意の箇所に噛合部を形成しても良い。
【０１１１】
さらに上述した第２の実施の形態においては、正面視で四角形状の凸部１４６Ｄｖ及び凹部５０Ｕｃにより噛合部５５を形成する場合について述べた。本発明はこれに限らず、正面視で半円形状や三角形状等、種々の形状の凸部及び凹部で噛合部を形成しても良い。要はスキミングデバイスがステージ上面５０Ｕに装着された際に、シャッタ１４６の平面部１４６Ｄｆと該ステージ上面５０Ｕとの間に隙間が形成されれば良い。
【０１１２】
さらに上述した第３の実施の形態においては、入出口開放状態と入出口閉鎖状態との間でシャッタ２４６を９０度回転させる場合について述べた。本発明はこれに限らず、３０度等、種々の回転角度だけ回転させても良い。要は、入出口閉鎖状態においてシャッタ貫通孔６６Ｈの長手方向がカード挿脱口１４３の長手方向と平行にならず異なる方向に沿うことにより、該カード挿脱口１４３全体を外部に露出しなければ良い。
【０１１３】
さらに上述した第３の実施の形態においては、入出口開放状態と入出口閉鎖状態との間でシャッタ２４６を回転させる場合について述べた。本発明はこれに限らず、シャッタ２４６を上下方向や左右方向等にスライド移動させても良い。要は入出口開放状態と入出口閉鎖状態とでシャッタ２４６のシャッタ貫通孔６６Ｈの上下位置、左右位置や回転位置等が異なっていれば良い。
【０１１４】
さらに上述した第４の実施の形態においては、左右に両開きする扉であるシャッタ３４６によりカード挿脱口１４３を外部に対し開閉する場合について述べた。本発明はこれに限らず、上下に両開きする扉であるシャッタによりカード挿脱口１４３を外部に対し開閉しても良い。
【０１１５】
さらに上述した第５の実施の形態においては、左右にスライドするシャッタ４４６によりカード挿脱口１４３を外部に対し開閉する場合について述べた。本発明はこれに限らず、上下にスライドするシャッタによりカード挿脱口１４３を外部に対し開閉しても良い。
【０１１６】
さらに上述した第５の実施の形態においては、入出口閉鎖状態においてシャッタ４４６によりカード挿脱口１４３全体を覆う場合について述べた。本発明はこれに限らず、入出口閉鎖状態においてシャッタ４４６によりカード挿脱口１４３の一部のみを覆うようにしても良い。要はカード挿脱口１４３にスキミングデバイスを装着され難くなれば良い。
【０１１７】
さらに上述した第５の実施の形態において、発光素子６２が照射する照射光の発光パターン（点滅パターン）を制御し、受光素子６３で受光した照射光の発光パターンが、予め設定されたものであるか否かを判定しても良い。その場合、偽物の発光素子を装着されたとしても、照射光の発光パターンが予め設定されたものでない場合、偽物の発光素子が装着されたことを発見できるため、実際には入出口開放状態であるにも拘らず入出口閉鎖状態であると判定してしまうことを防止できる。
【０１１８】
さらに上述した第５の実施の形態において、カード情報読取部３３２のシャッタ３４６のようにカード挿脱口１４３に隙間なく嵌まり込む嵌合突起をシャッタ４４６に設けても良い。その場合、入出口閉鎖状態から入出口開放状態へ移行する際、シャッタを前方へ移動させて嵌合突起をカード挿脱口１４３から外してからシャッタ開放方向へ移動すれば良い。
【０１１９】
さらに上述した第５の実施の形態においては、１枚のシャッタ４４６によりカード挿脱口１４３を開閉する場合について述べた。本発明はこれに限らず、右側に位置し左右方向にスライドする右側シャッタと、左側に位置し左右方向にスライドする左側シャッタとの２枚のシャッタにより、カード挿脱口１４３を開閉しても良い。
【０１２０】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１２１】
さらに上述した実施の形態においては、顧客との間で媒体としての紙幣に関する取引処理を行う現金自動取引装置１の紙幣入出金機１０に本発明を適用する場合について述べた。しかしながら本発明はこれに限らず、例えば各種金券や証券等、或いは入場券や乗車券のような種々の紙葉状の媒体を取り扱う種々の装置に本発明を適用しても良い。
【０１２２】
さらに上述した実施の形態においては、媒体口としてのカード入出口４と、媒体情報読取部としてのカードリーダ３４と、媒体口開閉部としてのシャッタ４６とによって、媒体情報読取装置としてのカード情報読取部３２を構成する場合について述べた。本発明はこれに限らず、その他種々の構成でなる媒体口と、媒体情報読取部と、媒体口開閉部によって、媒体情報読取装置を構成するようにしても良い。
【０１２３】
さらに上述した実施の形態においては、顧客応対部としての顧客応対部３と、媒体口としてのカード入出口４と、媒体情報読取部としてのカードリーダ３４と、媒体口開閉部としてのシャッタ４６とによって、媒体取引装置としての現金自動取引装置１を構成する場合について述べた。本発明はこれに限らず、その他種々の構成でなる顧客応対部と、媒体口と、媒体情報読取部と、媒体口開閉部とによって、媒体取引装置を構成するようにしても良い。
【産業上の利用可能性】
【０１２４】
本発明は、顧客との間で紙幣の入出金に関する取引処理を行う現金自動取引装置等でも利用できる。
【符号の説明】
【０１２５】
１、１０１、２０１、３０１、４０１……現金自動取引装置、２……筐体、３……顧客応対部、４、１０４、２０４……カード入出口、４Ｕ、１０４Ｕ……入出口上側内壁面、４Ｄ、１０４Ｄ……入出口下側内壁面、５……入出金口、６……操作表示部、７……テンキー、８……レシート発行口、９……主制御部、１０……紙幣入出金機、１１……入出金機筐体、１２……紙幣制御部、１４……記憶部、１６……入出金部、１８……鑑別部、２０……一時保留部、２２……取忘れ庫、２４……搬送部、２６……紙幣収納庫、２８……リジェクト庫、３０……フロントパネル、３２、１３２、２３２、３３２、４３２……カード情報読取部、３４、１３４……カードリーダ、３６……カードリーダ筐体、３８……受渡搬送ローラ、３９……搬送ローラ、４０、１４０……カード受渡部、４１……受渡基部、４２……受渡先端部、４３、１４３……カード挿脱口、４４……磁気ヘッド、４６、１４６、２４６、３４６、４４６……シャッタ、４６Ｆ、１４６Ｆ、２４６Ｆ、３４６Ｆ……シャッタ前面、４６Ｕ……シャッタ上面、４６Ｄ、１４６Ｄ……シャッタ下面、２４６Ｂ……シャッタ後面、１４６Ｄｆ……平面部、１４６Ｄｖ……凸部、５０……ステージ、５０Ｕ……ステージ上面、５０Ｆ……ステージ前面、５０Ｕｃ……凹部、５０Ｕｆ……平面部、５２、２５２……検出部、５４、２５４、４５４……シャッタ検出センサ、５５……噛合部、５８……嵌合突起、６０、２６０、４６０……シャッタ駆動部、６２……発光素子、６３……受光素子、６６Ｆ……シャッタ前側部、６６Ｃ……シャッタ中央部、６６Ｂ……シャッタ後側部、６６Ｈ……シャッタ貫通孔、６６Ｇ……歯部、ＣＤ……カード、ＭＳ……磁気ストライプ、ＤＣｉｏ……カード挿脱方向、ＤＣｉ……カード挿入方向、ＤＣｏ……カード排出方向。
【図１】
0006554902.tif 000002
【図２】
0006554902.tif 000003
【図３】
0006554902.tif 000004
【図４】
0006554902.tif 000005
【図５】
0006554902.tif 000006
【図６】
0006554902.tif 000007
【図７】
0006554902.tif 000008
【図８】
0006554902.tif 000009
【図９】
0006554902.tif 000010
【図１０】
0006554902.tif 000011
【図１１】
0006554902.tif 000012
【図１２】
0006554902.tif 000013
【図１３】
0006554902.tif 000014
【図１４】
0006554902.tif 000015
【図１５】
0006554902.tif 000016